Podtech/llm-jp-corpus-v4-ja_patent huggingface dataset:
【手続補正書】
【提出日】平成23年2月24日(2011.2.24)
【手続補正１】
【補正対象書類名】特許請求の範囲
【補正対象項目名】全文
【補正方法】変更
【補正の内容】
【特許請求の範囲】
【請求項１】
ノズルを介して被検眼角膜に流体を吹き付ける流体吹付手段と、
前記流体吹付手段による角膜の変形状態を検出する変形検出手段と、を有し、
前記変形検出手段からの検出信号に基づいて被検眼の眼圧を測定する非接触式眼圧計において、
前眼部断面像撮影用光源から発せられた光を前記ノズルを介して被検眼前眼部に向けて投影する投影光学系であって、前記撮影用光源から発せられた光を被検眼前眼部上に集光させる集光光学系と、前記撮影用光源を出射して前記ノズルの内側を通過する光束を被検眼前眼部に向けて投影し，前記撮影用光源を出射して前記ノズルの外側を通過する光束を制限する光束制限手段を有する投影光学系と、
被検眼の前眼部断面像を撮像する撮像素子と、前記投影光学系による被検眼前眼部からの反射光を前記撮像素子に導く撮像レンズと、有し、前記投影光学系による投影像の前眼部断面、前記撮像レンズの主平面、及び前記撮像素子の撮像面の延長面が一軸で交わる配置となる前眼部断面撮影光学系と、を有することを特徴とする非接触式眼圧計。
【請求項２】
請求項１の前記光束制限手段は、前記撮影用光源に使用される光の波長領域をカットするカットフィルタ、又は前記撮影用光源を出射して前記ノズルの外側を通過する光束を遮光する開口絞りであることを特徴とする非接触式眼圧計。
【請求項３】
請求項２の非接触式眼圧計は、さらに、被検眼の眼圧測定と前記前眼部断面撮影を開始するためのトリガ信号を発するトリガ信号発生手段を有し、
前記流体吹付手段は、被検眼角膜に流体を吹き付けるための駆動手段を有する流体吹付手段であって、
前記トリガ信号発生手段から発せられたトリガ信号に応じて、前記撮影用光源を点灯させて前記撮像素子により前眼部断面像を撮影すると共に、前記断面像の撮影動作が完了する前に、前記駆動手段に対して電流供給を開始し、前記撮像素子による断面像の取得動作が完了した後に被検眼角膜に流体が吹き付けられるように前記駆動手段を駆動制御する制御手段を備えることを特徴とする非接触式眼圧計。
【請求項４】
請求項３の非接触式眼圧計は、
被検眼に対して斜め前方から投光してアライメント用指標を被検眼角膜に投影する指標投影光学系と、前記ノズルの軸線に対して前記指標投影光学系の光軸とほぼ対称な光軸を持ち前記アライメント用指標の位置を検出する指標検出光学系と、を有し、前記指標投影光学系及び前記指標検出光学系は、前記ノズルの外側に形成された前記カットフィルタとなるガラス板を介して前記アライメント指標の投影及び検出を行う光学系を備え、
前記ガラス板は、裏面反射を抑制するための反射防止膜が形成されていることを特徴とする非接触式眼圧計。
【請求項５】
請求項４の非接触式眼圧計において、前記前眼部断面撮影光学系によって撮影された前眼部断面像に基づいて被検眼の角膜厚を計測し、計測された角膜厚により被検眼の眼圧測定値を補正する補正手段を備えることを特徴とする非接触式眼圧計。
【手続補正２】
【補正対象書類名】明細書
【補正対象項目名】０００７
【補正方法】変更
【補正の内容】
【０００７】
（１）  ノズルを介して被検眼角膜に流体を吹き付ける流体吹付手段と、
前記流体吹付手段による角膜の変形状態を検出する変形検出手段と、を有し、
前記変形検出手段からの検出信号に基づいて被検眼の眼圧を測定する非接触式眼圧計において、
前眼部断面像撮影用光源から発せられた光を前記ノズルを介して被検眼前眼部に向けて投影する投影光学系であって、前記撮影用光源から発せられた光を被検眼前眼部上に集光させる集光光学系と、前記撮影用光源を出射して前記ノズルの内側を通過する光束を被検眼前眼部に向けて投影し，前記撮影用光源を出射して前記ノズルの外側を通過する光束を制限する光束制限手段を有する投影光学系と、
被検眼の前眼部断面像を撮像する撮像素子と、前記投影光学系による被検眼前眼部からの反射光を前記撮像素子に導く撮像レンズと、有し、前記投影光学系による投影像の前眼部断面、前記撮像レンズの主平面、及び前記撮像素子の撮像面の延長面が一軸で交わる配置となる前眼部断面撮影光学系と、を有することを特徴とする。
（２）  （１）の前記光束制限手段は、前記撮影用光源に使用される光の波長領域をカットするカットフィルタ、又は前記撮影用光源を出射して前記ノズルの外側を通過する光束を遮光する開口絞りであることを特徴とする。
（３）  請求項２の非接触式眼圧計は、さらに、被検眼の眼圧測定と前記前眼部断面撮影を開始するためのトリガ信号を発するトリガ信号発生手段を有し、
前記流体吹付手段は、被検眼角膜に流体を吹き付けるための駆動手段を有する流体吹付手段であって、
前記トリガ信号発生手段から発せられたトリガ信号に応じて、前記撮影用光源を点灯させて前記撮像素子により前眼部断面像を撮影すると共に、前記断面像の撮影動作が完了する前に、前記駆動手段に対して電流供給を開始し、前記撮像素子による断面像の取得動作が完了した後に被検眼角膜に流体が吹き付けられるように前記駆動手段を駆動制御する制御手段を備えることを特徴とする。
（４）  （３）の非接触式眼圧計は、
被検眼に対して斜め前方から投光してアライメント用指標を被検眼角膜に投影する指標投影光学系と、前記ノズルの軸線に対して前記指標投影光学系の光軸とほぼ対称な光軸を持ち前記アライメント用指標の位置を検出する指標検出光学系と、を有し、前記指標投影光学系及び前記指標検出光学系は、前記ノズルの外側に形成された前記カットフィルタとなるガラス板を介して前記アライメント指標の投影及び検出を行う光学系を備え、
前記ガラス板は、裏面反射を抑制するための反射防止膜が形成されていることを特徴とする。
（５）  （４）の非接触式眼圧計において、前記前眼部断面撮影光学系によって撮影された前眼部断面像に基づいて被検眼の角膜厚を計測し、計測された角膜厚により被検眼の眼圧測定値を補正する補正手段を備えることを特徴とする。
する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正書】
【提出日】平成23年2月10日(2011.2.10)
【手続補正１】
【補正対象書類名】特許請求の範囲
【補正対象項目名】全文
【補正方法】変更
【補正の内容】
【特許請求の範囲】
【請求項１】
プレーヤの操作に基づいてフィールド面上に積み上げられたゲーム媒体を媒体獲得領域に移動させ獲得するゲーム装置において、
開口部を有し、前記開口部から進入した前記ゲーム媒体を前記フィールド面上に積み上げる積上部材と、
前記積上部材により積み上げられたゲーム媒体を前記媒体獲得領域側に移動させる移動部材と、
を備えることを特徴とするゲーム装置。
【請求項２】
請求項１において、
前記フィールド面の上方において前記開口部に向けて前記ゲーム媒体を誘導する積上誘導部材を更に備えることを特徴とするゲーム装置。
【請求項３】
請求項２において、
前記積上誘導部材は、
前記フィールド面の上方に設けられたゲーム盤面であって、
前記ゲーム盤面は、
所定の間隔をあけて相対して設けられた２つの盤面で形成され、前記２つの盤面に挟まれた空間を通過することで、前記ゲーム媒体が前記開口部に向けて誘導されることを特徴とするゲーム装置。
【請求項４】
請求項３において、
前記２つの盤面に挟まれた空間において前記ゲーム媒体の移動方向を誘導する移動誘導部と、
前記ゲーム媒体を前記開口部へ高い確率で誘導する積上誘導状態と、前記ゲーム媒体を前記開口部へ低い確率で誘導する積上非誘導状態との間で前記移動誘導部を移動させる誘導動力部とを更に備えることを特徴とするゲーム装置。
【請求項５】
請求項１〜４のいずれかにおいて、
前記移動部材は、
前記積上部材の一部を形成し、前記積み上げられたゲーム媒体を前記フィールド面に沿って前記媒体獲得領域側にスライドさせるスライド部であるとともに、
前記スライド部をスライドさせるスライド動力部を更に備えることを特徴とするゲーム装置。
【請求項６】
請求項５において、
前記積上部材は、
前記スライド部と、前記媒体獲得領域側に配置され、前記開口部から進入したゲーム媒体のスライドを禁止するためのスライド禁止部とを有し、
前記スライド禁止部は、
前記ゲーム媒体のスライドの禁止を解除することで前記スライド部が前記ゲーム媒体を前記媒体獲得空間側にスライドさせることを特徴とするゲーム装置。
【請求項７】
請求項６において、
前記スライド禁止部は、
積み上げられたゲーム媒体を視認可能な部材で構成されたことを特徴とするゲーム装置。
【請求項８】
請求項１において、
前記積み上げられたゲーム媒体の移動領域外から移動領域上に移動可能に設けられた外力付与部と、
前記外力付与部の移動を制御する移動制御部と、
を備え、
前記移動制御部が、所定の条件を満たした場合に、前記外力付与部を前記移動領域上に積み上げられているゲーム媒体に当接するよう移動させることを特徴とするゲーム装置。
【請求項９】
請求項８において、
前記外力付与部は、
前記移動領域の上方の空間に対して外力を付与することを特徴とするゲーム装置。
【請求項１０】
請求項８、９のいずれかにおいて、
前記外力付与部として、
前記移動領域上方の空間を移動する移動外力付与部と、
前記移動外力付与部を動作させる動力部と、
を更に備えることを特徴とするゲーム装置。
【請求項１１】
請求項８において、
前記外力付与部として、
前記移動領域および前記積上げられたゲーム媒体の少なくとも一方に対して、前記ゲーム媒体を供給するゲーム媒体供給部を備えることを特徴とするゲーム装置。
【請求項１２】
請求項８、１１のいずれかにおいて、
前記移動領域は、
前記移動領域に対して外力が付与されると振動する構造を有していることを特徴とするゲーム装置。
【請求項１３】
請求項８〜１２のいずれかにおいて、
所与のイベントを発生させるイベント発生条件が満たされたことを判定する処理を行う判定部を更に備え、
前記外力付与部が、
前記イベント発生条件が満たされた場合に、前記移動領域および前記積み上げられたゲーム媒体の少なくとも一方に対して外力を付与することを特徴とするゲーム装置。
【手続補正書】
【提出日】平成23年7月19日(2011.7.19)
【手続補正１】
【補正対象書類名】特許請求の範囲
【補正対象項目名】全文
【補正方法】変更
【補正の内容】
【特許請求の範囲】
【請求項１】
窒素含有有機物と金属とを含む原料を炭素化して得られた触媒担持用担体と、前記触媒担持用担体に担持された貴金属触媒と、を有する触媒担持体を含む  ことを特徴とする電極。
【請求項２】
前記触媒担持体は、サイクリックボルタンメトリーにおいて、０〜１．６Ｖの範囲で電位を５０サイクル連続的に掃引した場合に、５サイクル目の１．５Ｖ印加時の電流値に対する５０サイクル目の１．５Ｖ印加時の電流値の割合が９０％以上である  ことを特徴とする請求項１に記載された電極。
【請求項３】
前記触媒担持用担体は、Ｘ線回折図形における回折角２６°付近のピークが、２０〜４５％の黒鉛類似構造成分と、５５〜８０％のアモルファス成分と、を含む  ことを特徴とする請求項１又は２に記載された電極。
【請求項４】
前記触媒担持用担体は、ラマンスペクトルにおける１３６０ｃｍ−１バンドの１５８０ｃｍ−１バンドに対する強度比（Ｉ１３６０／Ｉ１５８０）が０．３以上、１．０以下である  ことを特徴とする請求項１乃至３のいずれかに記載された電極。
【請求項５】
前記触媒担持用担体は、前記原料を炭素化して得られた炭素化材料に、金属除去処理を施し、さらに熱処理を施して得られた  ことを特徴とする請求項１乃至４のいずれかに記載された電極。
【請求項６】
前記金属は、遷移金属である  ことを特徴とする請求項１乃至５のいずれかに記載された電極。
【請求項７】
請求項１乃至６のいずれかに記載された電極を含む  ことを特徴とする電池。
【手続補正２】
【補正対象書類名】明細書
【補正対象項目名】発明の名称
【補正方法】変更
【補正の内容】
【発明の名称】電極及び電池
【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
ノズルを鋳造位置にスライドさせるためのレールガイドシステムと、注入路の上流部材（９）との密着性を確保するために前記ノズルにスラスト力を付加するための押し付け装置とを有する形式のノズルの挿入及び除去装置用の注入ノズル（１）であって、前記ノズルは、注入路（６）を規定する管状部（３）と、その上端で注入路（６）を規定する孔を有するプレート（２）とを備え、前記プレート（２）は、注入路の上流の部材（９）と接触する上面と、下面とを有し、かつ、注入路（６）の二つの対向する側に配置され、新しい注入ノズルを鋳造位置に挿入する前記レールガイドシステム上に受け止められるのに適合する二つの平坦な支承面（５）を備えており、前記二つの支承面（５）が、注入路の軸（７）と２０〜８０°の角度βをなすことを特徴とするノズルの挿入及び除去装置用の注入ノズル。
【請求項２】
前記二つの支承面（５）が、注入路の軸（７）と３０〜６０°の角度βをなすことを特徴とする請求項１に記載の注入ノズル。
【請求項３】
前記二つの支承面（５）が、注入路の軸（７）と４５°の角度βをなすことを特徴とする請求項２に記載の注入ノズル。
【請求項４】
ａ）請求項1に記載の注入ノズルの二つの支承面を受け、前記注入ノズルを鋳造位置に挿入し、消耗した注入ノズルを前記鋳造位置の向こうに排出するレールガイドシステムであって、前記注入ノズルプレートの支承面が注入路の軸となす角度βと等しい、注入路の軸（７）と２０〜８０°の角度βをなす支承面を有する前記レールガイドシステムと、
ｂ）前記注入ノズルのノズルプレートの二つの平坦な支承面（５）にスラスト力を付与し、注入ノズルが鋳造位置にあるときに、ノズルプレートの上面と注入路の上流部材（９）との間の密着性を確保する押し付け装置（８）であって、生じるスラスト力が注入路の軸と１０〜７０°の角度αをなす方向に付与される、押し付け装置（８）とを備えた請求項１の注入ノズル（１）用の挿入及び除去装置。
【請求項５】
前記生じるスラスト力が、注入路の軸と３０〜６０°の角度αをなす方向に付与されることを特徴とする請求項４に記載の挿入及び除去装置。
【請求項６】
スラスト力（４）が、直接、支承面（５）にバネ（１１）により加えられることを特徴とする請求項４に記載の挿入及び除去装置。
【請求項７】
請求項１に記載の注入ノズル（１）と、請求項４に記載のノズルの挿入及び除去装置とを有する鋳造装置であって、注入ノズル軸と、注入ノズル（１）の支承面（５）及びレールガイドシステムの支承面とがなす角度は、互いに等しいことを特徴とする鋳造装置。
【請求項８】
スラスト力（４）が、直接、支承面（５）に加えられる請求項６の押し付け装置（８）を有し、スラスト力がバネにより直接、支承面（５）に加えられることを特徴とする請求項７に記載の鋳造装置。
【手続補正書】
【提出日】平成23年5月17日(2011.5.17)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
遊技球が入球し得る入賞口として前記遊技領域の所定位置に設けられ、その入球が通常遊技より遊技者に有利な状態である特別遊技へ移行するか否かを判定するための第１の抽選の実行契機となる第１始動入賞口と、
遊技球が入球し得る入賞口として前記遊技領域の所定位置に設けられ、その入球が前記特別遊技へ移行するか否かを判定するための第２の抽選の実行契機となる第２始動入賞口と、
前記第１始動入賞口への入球を契機として、前記特別遊技への移行可否を決定するために前記第１の抽選を実行する第１抽選手段と、
前記第２始動入賞口への入球を契機として、前記特別遊技への移行可否を決定するために前記第２の抽選を実行する第２抽選手段と、
前記第１の抽選または前記第２の抽選の結果を示す図柄が変動表示される図柄表示装置と、
以前の抽選に対応する図柄の変動表示が終了していることを開始条件として、前記第１の抽選または第２の抽選の結果を示す図柄を、その図柄の変動過程が定められた変動パターンにしたがって前記図柄表示装置へ変動表示させる表示制御手段と、
新たに前記第１の抽選が実行されるときにそれ以前の抽選に対応する図柄変動が表示されている場合、前記新たな第１の抽選の結果を所定個数を上限にその抽選に対応する図柄の変動表示開始まで保留する第１保留制御手段と、
新たに前記第２の抽選が実行されるときにそれ以前の抽選に対応する図柄変動が表示されている場合、前記新たな第２の抽選の結果を所定個数を上限にその抽選に対応する図柄の変動表示開始まで保留する第２保留制御手段と、
前記遊技領域の所定位置に設けられ、前記特別遊技が実行されるときに開放される大入賞口と、
前記第１の抽選または前記第２の抽選が前記特別遊技への移行を示す結果となった場合に前記大入賞口を開放させて前記特別遊技を実行する特別遊技制御手段と、
前記第１抽選手段から受け取る前記第１の抽選の結果または前記第２抽選手段から受け取る前記第２の抽選の結果に応じて、前記表示制御手段によって前記図柄表示装置へ表示させる演出内容を決定する演出決定手段と、
前記演出決定手段により決定された演出を実行する演出表示制御手段と、
を備え、
前記第１抽選手段および前記第２抽選手段は遊技の進行を制御する主制御装置に設けられ、前記演出決定手段は遊技における演出の動作を制御する副制御装置に設けられ、前記主制御装置と前記副制御装置の間におけるデータの送受信は前記主制御装置から前記副制御装置への一方向になされ、
前記第１抽選手段は、新たな抽選が実行されたときにその抽選に対応する図柄変動表示が直ちに開始されるか否かにかかわらずその結果を前記演出決定手段へ送信し、
前記表示制御手段は、前記第２保留制御手段により前記第２の抽選の結果が保留されている場合は前記第１の抽選に対応する図柄変動表示の開始を留保する一方、前記第１保留制御手段により前記第１の抽選の結果が保留されているか否かにかかわらず前記第２の抽選に対応する図柄変動表示を開始し、
前記演出決定手段は、前記送信された複数の第１の抽選の結果または第２の抽選の結果に対応する図柄変動が連続して表示される間に当該複数の図柄変動の抽選結果と対応させて当該複数の図柄変動において演出内容を連続して表示すると共にその連続して表示する間に一連の演出内容を完結させる補助演出を実行するか否かを決定する場合、保留されている抽選の結果の数が所定数以上のときに当該保留された抽選の結果の中に前記特別遊技への移行期待度が所定値より高いものが含まれる場合に前記所定値以下の場合に比べて高い確率で前記補助演出を実行するように当否確率が定められたテーブルを用いた抽選により決定し、前記補助演出を実行する旨の決定がなされた場合であって、当該補助演出の実行中に前記表示制御手段により前記第２の抽選に対応する図柄変動が割り込んで開始された場合、割り込んだ図柄変動を含めた複数の図柄変動と対応させて演出内容を完結させられるように前記補助演出の内容を調整して演出を決定することを特徴とする弾球遊技機。
【手続補正書】
【提出日】平成23年8月3日(2011.8.3)
【手続補正１】
【補正対象書類名】明細書
【補正対象項目名】００１８
【補正方法】変更
【補正の内容】
【００１８】
【図１】この発明に実施形態に係る長柄付き清掃具を組立状態で示す側面図である。
【図２】同じく長柄付き清掃具における要部の分解斜視図である。
【図３】（Ａ）は第１ブラシ体と第２ブラシ体とを合体状態で示す平面図、（Ｂ）は同正面図、（Ｃ）は同側面図、（Ｄ）は同背面図、（Ｅ）は同底面図である。
【図４】図３（Ａ）のＡ−Ａ線に沿った断面図である。
【図５】図３（Ｃ）のＢ−Ｂ線に沿った断面図である。
【図６】（Ａ）は第２ブラシ体を示す平面図、（Ｂ）は同正面図、（Ｃ）は同側面図、（Ｄ）は同背面図、（Ｅ）は同底面図である。
【図７】（Ａ）は図６（Ａ）のＣ−Ｃ線に沿った断面図、（Ｂ）は図６（Ｃ）のＤ−Ｄ線に沿った断面図である。
【図８】（Ａ）は第１ブラシ体を示す平面図、（Ｂ）は同正面図、（Ｃ）は同側面図、（Ｄ）は同背面図、（Ｅ）は同底面図である。
【図９】（Ａ）は図８（Ａ）のＥ−Ｅ線に沿った断面図、（Ｂ）は図８（Ｃ）のＦ−Ｆ線に沿った断面図、（Ｃ）は図８（Ｃ）のＧ−Ｇ線に沿った断面図である。
【手続補正２】
【補正対象書類名】明細書
【補正対象項目名】００２２
【補正方法】変更
【補正の内容】
【００２２】
前記第１ブラシ体１は、例えば、図８（Ａ）〜（Ｅ）にも示すように、ブラシ台１１と、このブラシ台１１の下面に植設されたブラシ材１２とからなり、ブラシ台１１は、例えば木材ないしはこの例のような合成樹脂等から平面形状が長方形ないしは長円状に形成されている。また、ブラシ材１２は、天然ないしは合成樹脂製の多数の毛からなる。
【手続補正３】
【補正対象書類名】明細書
【補正対象項目名】００２３
【補正方法】変更
【補正の内容】
【００２３】
第１ブラシ体１における前端部１１ａには、前端から後方側に略Ｕ字形に切り欠かれるとともに、厚み方向（上下方向）に貫通した前後に細長い空所１３が形成されており、これにより、第１ブラシ体１は、全体として平面形状が略馬蹄形となっている。
【手続補正４】
【補正対象書類名】明細書
【補正対象項目名】００２５
【補正方法】変更
【補正の内容】
【００２５】
前記第２ブラシ体２は、例えば、図６（Ａ）〜（Ｅ）にも示すように、ブラシ台２１と、このブラシ台２１の前端部２１ａの下面に植設されたブラシ材２２とからなり、ブラシ台２１は、例えば木材ないしはこの例のような合成樹脂等から平面形状が細長矩形状に形成されており、いわゆる目地用ブラシと同等の機能が発揮できるようになっている。
【手続補正５】
【補正対象書類名】明細書
【補正対象項目名】００２７
【補正方法】変更
【補正の内容】
【００２７】
第２ブラシ体２のブラシ台２１の上面には、長柄３が取り付けられる円筒状の第２筒部（図４〜図６）２３が後方側へ傾斜した姿勢で突設されている。この第２筒部２３は、ブラシ台２１を貫通して下方に開口している。
【手続補正６】
【補正対象書類名】明細書
【補正対象項目名】００４２
【補正方法】変更
【補正の内容】
【００４２】
この操作を行うことにより、前記第１筒部１４における一対の係止突部１７，１７が前記第２筒部２３の外周壁の内面に押圧されて、一対の弾性片１６，１６の弾性力に抗して径方向内方へ変位する。さらに差し込み操作を行って前記一対の係止突部１７，１７が一対の係合孔１８，１８の位置に至れば、図４および図５に示すように、係止突部１７，１７が一対の弾性片１６，１６の弾性力を受けて復帰して前記係合孔１８，１８に係合するので、第１ブラシ体１に対して第２ブラシ２が第１および第２筒部１４，２３を介して結合される。
【手続補正７】
【補正対象書類名】明細書
【補正対象項目名】００４３
【補正方法】変更
【補正の内容】
【００４３】
このように、弾性変位可能な係止突部１７，１７と係合孔１８，１８とを設ける簡単な係合構造の導入により、第１ブラシ体１に第２ブラシ体２を簡単に結合させることができる。勿論、この係合構造は、他の変形手段を採用可能である。
【手続補正書】
【提出日】平成23年8月3日(2011.8.3)
【手続補正１】
【補正対象書類名】明細書
【補正対象項目名】００２４
【補正方法】変更
【補正の内容】
【００２４】
前記摺洗用具基体１は、例えば合成樹脂等から平面形成が長円形状の薄板状に成形されるとともに、厚さ方向について撓み変形可能に構成されている。この摺洗用具基体１の略全域に摺洗体２が取り付けられ、摺洗体２を保持する用摺洗体保持部（主面部）１１として機能するようになっている。また、この摺洗用具基体１の上面の所定位置には、操作部３に対する棒状の支持部６が一体に立設されている。
【手続補正２】
【補正対象書類名】明細書
【補正対象項目名】００４２
【補正方法】変更
【補正の内容】
【００４２】
また、摺洗用具基体１０の摺洗体保持部１１の中央部には、上下面を貫通する孔部１３が形成されている。この実施形態では、前後方向へ細長い二つの孔部１３，１３が前後両端部にそれぞれ位置して形成されており、これら孔部１３，１３を通じても前記上下一対の摺洗体２１，２２に取り付けられた面ファスナー４３，４４は互いに係合するようになっている。
【手続補正３】
【補正対象書類名】明細書
【補正対象項目名】００４９
【補正方法】変更
【補正の内容】
【００４９】
この長柄３０と摺洗用具基体１０との連結手段としては各種の形態が採用可能であるが、この実施形態では、摺洗用具基体１０の基端部１２に取り付けられる筒形結合部材８を介して長柄３０が連結されるようになっている。
【手続補正４】
【補正対象書類名】明細書
【補正対象項目名】００５３
【補正方法】変更
【補正の内容】
【００５３】
前記筒形結合部材８の先端（上端）側には、例えば、図７に示すように、長柄３０の基端（下端）側に設けられた円錐形の雄側突出部３１が挿入される円錐形の雌側凹入部３２が形成されており、雄側突出部３１を雌側凹入部３２の奥端まで挿入して回転変位させれば、両者３１，３２が係合して、長柄３０の基端部が筒形結合部材８を介して前記摺洗用具基体１の筒部１４に結合されるようになっている。
【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
先端硬質部に固定され撮像光学系を介して観察光を受光する撮像素子を実装した回路基板と、前記先端硬質部に軸線を沿わして固定された鉗子パイプと、を具備する内視鏡であって、
前記回路基板に導体の半田付けされた信号線を、前記鉗子パイプに接着剤により固定したことを特徴とする内視鏡。
【請求項２】
請求項１記載の内視鏡であって、
前記先端硬質部に軸線を沿わしてライトガイドが固定され、
前記接着剤と該ライトガイドの間に間隙が形成されることを特徴とする内視鏡。
【請求項３】
請求項１または請求項２記載の内視鏡であって、
前記先端硬質部が、複数の回転軸を介して相互に連結された複数の節輪からなる湾曲部に接続され、
前記接着剤が、前記先端硬質部の軸線方向で、最も近接する第１の前記回転軸に相当する位置まで達していることを特徴とする内視鏡。
【請求項４】
請求項１〜請求項３のいずれか１項に記載の内視鏡であって、
前記撮像光学系および前記回路基板が、固定解除可能な固定手段により前記先端硬質部に固定され、
前記鉗子パイプが、固定解除可能な固定手段により前記先端硬質部に固定されていることを特徴とする内視鏡。
【請求項５】
先端硬質部に固定され撮像光学系を介して観察光を受光する撮像素子を実装した回路基板と、前記先端硬質部に軸線を沿わして固定された鉗子パイプと、を具備する内視鏡の組立方法であって、
前記先端硬質部に、前記鉗子パイプを固定手段により固定する工程と、
前記先端硬質部に、撮像光学系と共に前記回路基板を固定手段により固定する工程と、
その後、前記回路基板に導体の半田付けされた前記信号線を、前記鉗子パイプに接着剤により固定する工程と、
を含むことを特徴とする内視鏡の組立方法。
【手続補正２】
【補正対象書類名】明細書
【補正対象項目名】０００７
【補正方法】変更
【補正の内容】
【０００７】
本発明は、下記構成からなる。
（１）  先端硬質部に固定され撮像光学系を介して観察光を受光する撮像素子を実装した回路基板と、前記先端硬質部に軸線を沿わして固定された鉗子パイプと、を具備する内視鏡であって、
前記回路基板に導体の半田付けされた信号線を、前記鉗子パイプに接着剤により固定したことを特徴とする内視鏡。
【手続補正３】
【補正対象書類名】明細書
【補正対象項目名】００１５
【補正方法】変更
【補正の内容】
【００１５】
（５）  先端硬質部に固定され撮像光学系を介して観察光を受光する撮像素子を実
装した回路基板と、前記先端硬質部に軸線を沿わして固定された鉗子パイプと、を具備する内視鏡の組立方法であって、
前記先端硬質部に、前記鉗子パイプを固定手段により固定する工程と、
前記先端硬質部に、撮像光学系と共に前記回路基板を固定手段により固定する工程と、
その後、前記回路基板に導体の半田付けされた前記信号線を、前記鉗子パイプに接着剤により固定する工程と、
を含むことを特徴とする内視鏡の組立方法。
【手続補正書】
【提出日】平成23年4月21日(2011.4.21)
【手続補正１】
【補正対象書類名】特許請求の範囲
【補正対象項目名】全文
【補正方法】変更
【補正の内容】
【特許請求の範囲】
【請求項１】
放射線を電荷に変換する変換素子と、制御端子と２つの主端子を有して前記電荷に応じた電気信号を出力するために前記２つの主端子のうちの一方の主端子が前記変換素子に接続された薄膜トランジスタと、を含む画素が行列状に複数配置されたセンサアレーと、
前記センサアレーから行単位で並列に前記電気信号を順次に出力するために、前記制御端子に信号を与えて前記薄膜トランジスタを行単位で順次に駆動する駆動回路と、
前記２つの主端子のうちの他方の主端子を介して前記電気信号を読み出して画像信号を出力する読み出し回路と
を有する放射線撮像装置であって、
パルス状の放射線の照射後から前記パルス状の放射線に応じた画像信号を出力するまでの間に、
前記駆動回路は、前記薄膜トランジスタによって第１の電気信号が出力された所定の前記画素の前記薄膜トランジスタを駆動して第２の電気信号を出力させ、
前記読み出し回路は、前記第１の電気信号と前記第２の電気信号とを読み出し、前記第１の電気信号と前記第２の電気信号との差分の電気信号に基づく前記画像信号を出力することを特徴とする放射線撮像装置。
【請求項２】
前記駆動回路は、所定行の前記第１の電気信号を出力させた後でかつ前記所定行の次に駆動される行の前記第１の電気信号を出力させる前に、前記所定行の前記薄膜トランジスタを駆動して前記第２の電気信号を出力させることを特徴とする請求項１記載の放射線撮像装置。
【請求項３】
前記読み出し回路は、
前記第１の電気信号を保持するための第１のサンプルホールド回路と、
前記第２の電気信号を保持するための第２のサンプルホールド回路と、
前記第１のサンプルホールド回路に保持された前記第１の電気信号と前記第２のサンプルホールド回路に保持された前記第２の電気信号との差分の電気信号を出力するための差動増幅器と
を有することを特徴とする請求項１又は２記載の放射線撮像装置。
【請求項４】
前記画素は、前記変換素子を初期化するための初期化用トランジスタをさらに含むことを特徴とする請求項１〜３のいずれか１項に記載の放射線撮像装置。
【請求項５】
前記薄膜トランジスタは、絶縁基板上に設けられ、アモルファスシリコン、ポリシリコン及び有機材料のうちのいずれか１つを主材料とすることを特徴とする請求項１〜４のいずれか１項に記載の放射線撮像装置。
【請求項６】
前記複数の画素の前記薄膜トランジスタは、前記２つの主端子のうちの他方の主端子が列毎に共通の信号配線に接続されていることを特徴とする請求項１〜５のいずれか１項に記載の放射線撮像装置。
【請求項７】
請求項１〜６のいずれか１項に記載の放射線撮像装置と、
前記放射線撮像装置に放射線を照射するための放射線発生装置と
を有することを特徴とする放射線撮像システム。
【請求項８】
放射線を電荷に変換する変換素子と、制御端子と２つの主端子を有して前記電荷に応じた電気信号を出力するために前記２つの主端子のうちの一方の主端子が前記変換素子に接続された薄膜トランジスタと、を含む画素が行列状に複数配置されたセンサアレーと、
前記センサアレーから行単位で並列に前記電気信号を順次に出力するために、前記制御端子に信号を与えて前記薄膜トランジスタを行単位で順次に駆動する駆動回路と、
前記２つの主端子のうちの他方の主端子を介して前記電気信号を読み出して画像信号を出力する読み出し回路と
を有する放射線撮像装置の制御方法であって、
パルス状の放射線の照射後から前記パルス状の放射線に応じた画像信号を出力するまでの間に、
前記駆動回路により、前記薄膜トランジスタによって第１の電気信号が出力された所定の前記画素の前記薄膜トランジスタを駆動して第２の電気信号を出力させる第１のステップと、
前記読み出し回路により、前記第１の電気信号と前記第２の電気信号とを読み出し、前記第１の電気信号と前記第２の電気信号との差分の電気信号に基づく前記画像信号を出力する第２のステップと
を行うことを特徴とする放射線撮像装置の制御方法。
【手続補正２】
【補正対象書類名】明細書
【補正対象項目名】０００９
【補正方法】変更
【補正の内容】
【０００９】
本発明の放射線撮像装置は、放射線を電荷に変換する変換素子と、制御端子と２つの主端子を有して前記電荷に応じた電気信号を出力するために前記２つの主端子のうちの一方の主端子が前記変換素子に接続された薄膜トランジスタと、を含む画素が行列状に複数配置されたセンサアレーと、前記センサアレーから行単位で並列に前記電気信号を順次に出力するために、前記制御端子に信号を与えて前記薄膜トランジスタを行単位で順次に駆動する駆動回路と、前記２つの主端子のうちの他方の主端子を介して前記電気信号を読み出して画像信号を出力する読み出し回路とを有する放射線撮像装置であって、パルス状の放射線の照射後から前記パルス状の放射線に応じた画像信号を出力するまでの間に、前記駆動回路は、前記薄膜トランジスタによって第１の電気信号が出力された所定の前記画素の前記薄膜トランジスタを駆動して第２の電気信号を出力させ、前記読み出し回路は、前記第１の電気信号と前記第２の電気信号とを読み出し、前記第１の電気信号と前記第２の電気信号との差分の電気信号に基づく前記画像信号を出力することを特徴とする。
【手続補正３】
【補正対象書類名】明細書
【補正対象項目名】００１１
【補正方法】変更
【補正の内容】
【００１１】
本発明の放射線撮像装置の制御方法は、放射線を電荷に変換する変換素子と、制御端子と２つの主端子を有して前記電荷に応じた電気信号を出力するために前記２つの主端子のうちの一方の主端子が前記変換素子に接続された薄膜トランジスタと、を含む画素が行列状に複数配置されたセンサアレーと、前記センサアレーから行単位で並列に前記電気信号を順次に出力するために、前記制御端子に信号を与えて前記薄膜トランジスタを行単位で順次に駆動する駆動回路と、前記２つの主端子のうちの他方の主端子を介して前記電気信号を読み出して画像信号を出力する読み出し回路とを有する放射線撮像装置の制御方法であって、パルス状の放射線の照射後から前記パルス状の放射線に応じた画像信号を出力するまでの間に、前記駆動回路により、前記薄膜トランジスタによって第１の電気信号が出力された所定の前記画素の前記薄膜トランジスタを駆動して第２の電気信号を出力させる第１のステップと、前記読み出し回路により、前記第１の電気信号と前記第２の電気信号とを読み出し、前記第１の電気信号と前記第２の電気信号との差分の電気信号に基づく前記画像信号を出力する第２のステップとを行うことを特徴とする。
【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
被検者眼に視力検査用の視標を呈示する視標呈示手段と、呈示視標に対する被検者の判読結果の応答信号を入力する入力手段と、を有し、該入力手段により入力された応答の正誤の判定結果に基づいて被検者眼の視力を自動的に検査する視力検査装置において、
前記視標呈示手段を制御し、呈示視標を高い視力値から低い視力値に徐々に所定の時間間隔で連続的に切換えていき、前記入力手段により応答信号が入力され、その応答が正答であったときは連続的な視標の切換え制御を停止し、以降応答信号が入力される毎にその正誤の判定結果に基づいて視標を切換えるか、
又は前記視標呈示手段を制御し、呈示視標を低い視力値から高い視力値に徐々に所定の時間間隔で連続的に切換えていき、前記入力手段により判読不能の応答が入力されたときは、連続的な視標の切換え制御を停止し、以降応答信号が入力される毎にその正誤の判定結果に基づいて視標を切換える制御手段を備えることを特徴とする視力検査装置。
【請求項２】
請求項１の視力検査装置において、前記制御手段は、所定の時間間隔で連続的に切換えていくときの呈示視標を視力値のみ異なる同一視標に切換えることを特徴とする視力検査装置。
【請求項３】
請求項２の視力検査装置は、被検者眼が眼鏡等による矯正眼か否かの選択信号を入力する選択手段を有し、
前記制御手段は、前記選択手段の選択信号に基づいて、呈示視標を高い視力値から低い視力値に徐々に所定の時間間隔で連続的に切換えていくときの初期呈示の視力値、又は呈示視標を低い視力値から高い視力値に徐々に所定の時間間隔で連続的に切換えていくときの初期呈示の視力値を変更することを特徴とする視力検査装置。
【請求項４】
請求項２の視力検査装置において、前記制御手段は、前記連続的な視標の切換え制御を停止する際にその応答信号が入力されたときの呈示視標の呈示開始からの時間Ｔｓを計測し、その計測時間Ｔｓに応じて前記連続的な視標の切換え制御を停止した後に呈示する視力値を変更することを特徴とする視力検査装置。
【手続補正２】
【補正対象書類名】明細書
【補正対象項目名】０００６
【補正方法】変更
【補正の内容】
【０００６】
（１）  被検者眼に視力検査用の視標を呈示する視標呈示手段と、呈示視標に対する被検者の判読結果の応答信号を入力する入力手段と、を有し、該入力手段により入力された応答の正誤の判定結果に基づいて被検者眼の視力を自動的に検査する視力検査装置において、前記視標呈示手段を制御し、呈示視標を高い視力値から低い視力値に徐々に所定の時間間隔で連続的に切換えていき、前記入力手段により応答信号が入力され、その応答が正答であったときは連続的な視標の切換え制御を停止し、以降応答信号が入力される毎にその正誤の判定結果に基づいて視標を切換えるか、又は前記視標呈示手段を制御し、呈示視標を低い視力値から高い視力値に徐々に所定の時間間隔で連続的に切換えていき、前記入力手段により判読不能の応答が入力されたときは、連続的な視標の切換え制御を停止し、以降応答信号が入力される毎にその正誤の判定結果に基づいて視標を切換える制御手段を備えることを特徴とする。
（２）  （１）の視力検査装置において、前記制御手段は、所定の時間間隔で連続的に切換えていくときの呈示視標を視力値のみ異なる同一視標に切換えることを特徴とする。
（３）  （２）の視力検査装置は、被検者眼が眼鏡等による矯正眼か否かの選択信号を入力する選択手段を有し、前記制御手段は、前記選択手段の選択信号に基づいて、呈示視標を高い視力値から低い視力値に徐々に所定の時間間隔で連続的に切換えていくときの初期呈示の視力値、又は呈示視標を低い視力値から高い視力値に徐々に所定の時間間隔で連続的に切換えていくときの初期呈示の視力値を変更することを特徴とする。
（４）  （２）の視力検査装置において、前記制御手段は、前記連続的な視標の切換え制御を停止する際にその応答信号が入力されたときの呈示視標の呈示開始からの時間Ｔｓを計測し、その計測時間Ｔｓに応じて前記連続的な視標の切換え制御を停止した後に呈示する視力値を変更することを特徴とする。
【手続補正書】
【提出日】平成22年12月27日(2010.12.27)
【手続補正１】
【補正対象書類名】明細書
【補正対象項目名】００２１
【補正方法】変更
【補正の内容】
【００２１】
この発明によれば、工具交換時に、切削液ノズルから垂れ落ちた切削液が工具に付着することを防止できる工作機械が提供される。
【手続補正書】
【提出日】平成23年1月12日(2011.1.12)
【手続補正１】
【補正対象書類名】明細書
【補正対象項目名】００１９
【補正方法】変更
【補正の内容】
【００１９】
ガイドプレート１８には、ガイド溝１８ａと、ガイド突起１８ｂと、突部１８ｄと、図示せぬ貫通孔とが形成されている。貫通孔は、ガイドプレート１８の略中心に形成されており、出力軸１９が挿通される。ガイド溝１８ａは、貫通孔に隣接して形成されており、ガイド突起１８ｂは、ある一部分で貫通孔からガイド溝１８ａまでの距離が長くなるように、貫通孔の周囲に形成されている。詳細には、ガイド突起１８ｂは、貫通孔の中心から径方向に約５〜１５ｍｍふくらんだ形状を有している。突部１８ｄは、ガイドプレート１８外縁部に設けられた略矩形板状の突出部である。また、ガイド突起１８ｂの図２（ｃ）における上部には、出力軸１９に固定されたキー２０が設けられている。キー２０は、外形が二面幅状に切り欠かれており、後述するピン支持プレート２１の貫通孔２１ｂと嵌合する形状である。
【手続補正２】
【補正対象書類名】明細書
【補正対象項目名】００２０
【補正方法】変更
【補正の内容】
【００２０】
停止スイッチ２５は、略直方体形状で、開閉することによってオンまたはオフする開閉部２５ａを有している。停止スイッチ２５は、図２（ａ）〜図２（ｃ）におけるギア１４の外周部上面とガイドプレート１８の突部１８ｂ下面に挟まれるようにしてガイドプレート１８に対し固定されている。停止スイッチ２５の出力軸１９方向の厚みは、ギア１４の延出部１４ａの高さとほぼ同等である。開閉部２５ａは、ギア１４の回転に応じて延出部１４ａとの係合の有無が変化するような位置に固定されている。
【手続補正書】
【提出日】平成23年4月11日(2011.4.11)
【手続補正１】
【補正対象書類名】明細書
【補正対象項目名】００１７
【補正方法】変更
【補正の内容】
【００１７】
図２は、非消耗電極３と溶接母材Ｐとを流れる交流アーク電流Ｉｗを示している。交流アーク電流Ｉｗを示す縦軸は、非消耗電極３が陽極となったときに流れる電流をプラスとしている。本図から理解されるように、交流アーク電流Ｉｗは、周期Ｔｅにおいて電極プラス極性電流Ｉｅｐと電極マイナス極性電流Ｉｅｎとを１回ずつとる、交流電流である。電極プラス極性電流Ｉｅｐは、非消耗電極３が陽極、溶接母材Ｐが陰極となった状態で流れる電流である。電極マイナス極性電流Ｉｅｎは、非消耗電極３が陰極、溶接母材Ｐが陽極となった状態で流れる電流である。本実施形態においては、周期Ｔｅは、１１ｍｓ程度とされている。周期Ｔｅは、電極プラス極性電流Ｉｅｐが流れる電極プラス極性期間Ｔｅｐと電極マイナス極性電流Ｉｅｎが流れる電極マイナス極性期間Ｔｅｎとを含む。本実施形態においては、電極プラス極性期間Ｔｅｐが１ｍｓ程度、電極マイナス極性期間Ｔｅｎが１０ｍｓ程度とされており、周期Ｔｅに対する電極マイナス極性期間Ｔｅｎの時間率が約９１％となっている。電極プラス極性電流Ｉｅｐの最大絶対値Ｉｅｐｐと電極マイナス極性電流Ｉｅｎの最大絶対値Ｉｅｎｐとでは、最大絶対値Ｉｅｐｐの方が最大絶対値Ｉｅｎｐよりも大となっている。本実施形態においては、最大絶対値Ｉｅｐｐが５００Ａ程度、最大絶対値Ｉｅｎｐが３８０Ａ程度とされている。
【手続補正書】
【提出日】平成23年4月22日(2011.4.22)
【手続補正１】
【補正対象書類名】明細書
【補正対象項目名】０００１
【補正方法】変更
【補正の内容】
【０００１】
本発明は、摩擦攪拌接合装置に関し、特に作業者による手動操作が可能な摩擦攪拌接合装置に関する。
【手続補正２】
【補正対象書類名】明細書
【補正対象項目名】０００３
【補正方法】変更
【補正の内容】
【０００３】
例えば、特許第３４００４０９号公報には、摩擦攪拌接合方法に関する基本技術が開示されている。また、特開２００２−１３７０６７号公報には、多関節ロボットのアームの先端に取り付けられる摩擦攪拌接合装置が開示されている。この摩擦攪拌接合装置は側面視で箱形状の本体の下部にＬ字状に屈曲した腕が延設されたＣ字形状のガンアームを備え、本体における腕の先端に対向する位置に回転子（点接合を行う工具に相当）が配設されるとともに、その回転子の横に当該回転子の駆動源であるモータが配設され、腕の先端の回転子に対向する位置に被接合部を挟持するための受け部が設けられた構造を有している。また、特開２００５−３３４８９１号公報には、腕を本体に揺動可能に支持させるとともに、腕の受け部が設けられる端部とは反対側の端部に加圧部材を設け、点接合時に加圧部材によって受け部を回転子側に押圧させる、いわゆるＸ型摩擦攪拌接合装置が記載されている。
【手続補正３】
【補正対象書類名】明細書
【補正対象項目名】０００９
【補正方法】変更
【補正の内容】
【０００９】
同図に示すように、従来の摩擦攪拌接合装置１００の基本構造は、箱形状のボディ１０１の一方の端部（図５では左端部）に主軸１０２を介して工具１０３を回転可能に取り付ける一方、ボディ１０１内に工具１０３の駆動源であるモータ１０４を配設し、モータ１０４の回転力をタイミングベルト１０５によって主軸１０２に伝達して工具１０３を回転させる構成となっている。そして、ボディ１０１の他方の端部（図５では右端部）を多関節ロボットのアーム１０７の先端に取り付け、当該多関節ロボットによって工具１０３をワーク（被接合物）１０６に圧接させ、モータ１０４の回転力によって工具１０３を回転させてワーク１０６の点接合を行う。
【手続補正４】
【補正対象書類名】明細書
【補正対象項目名】００１０
【補正方法】変更
【補正の内容】
【００１０】
点接合プロセスにおいて、モータ１０４で発生したトルクをタイミングベルト１０５を介して主軸１０２に伝達し、その主軸１０２に固着された工具１０３を回転させ、その状態で工具１０３をワーク１０６に押し付けると、図６に示すように、ワーク１０６は工具１０３の回転方向と同一の回転力Ｔ４を受ける。しかし、ワーク１０６はその回転力Ｔ４以上の力で固定され、回転することはないので、工具１０３をワーク１０６に接触させると、工具１０３とワーク１０６と間に摩擦力が生じ、この摩擦力に起因してボディ１０１には工具１０３の回転力の反力として工具１０３の回転方向と同一の回転力Ｔ５が生じる。
【手続補正５】
【補正対象書類名】明細書
【補正対象項目名】００１１
【補正方法】変更
【補正の内容】
【００１１】
工具１０３をワーク１０６に接触させた瞬間は非常に大きな摩擦力が生じるが、その後はその摩擦力は低下するので、ボディ１０１に生じる回転力Ｔ５は工具１０３をワーク１０６に接触させた直後が最も大きく、その回転力Ｔ５は、ボディ１０１を支える作業者に衝撃力として作用することになる。この衝撃力は、ワーク１０６の材質や厚みや工具１０３の回転力などの種々の条件で異なるが、例えば、板厚１ｍｍの２枚の銅板を回転数３６００ｒｐｍの工具で点接合した場合、１００Ｎ・ｍ以上にもなることがある。
【手続補正６】
【補正対象書類名】明細書
【補正対象項目名】００１２
【補正方法】変更
【補正の内容】
【００１２】
摩擦攪拌接合装置１００を多関節ロボットのアーム１０７の先端に取り付けて使用する場合、上記の衝撃力やその後のボディ１０１に生じる回転力Ｔ５は多関節ロボットによって吸収されるので、特に問題は生じないとしても、作業者が摩擦攪拌接合装置１００を把持して使用する場合は、上記の衝撃力が摩擦攪拌接合装置の操作性や点接合の作業性を著しく困難にすることになる。
【手続補正７】
【補正対象書類名】明細書
【補正対象項目名】００５７
【補正方法】変更
【補正の内容】
【００５７】
上記のように、１００Ｎ・ｍの衝撃力Ｔが胴体２に加わったとしても駆動力部２３は僅か１．７１ｍｍしか移動しないので、摩擦攪拌接合開始時に瞬時的に１００Ｎ・ｍの衝撃力Ｔが生じても、図２に示すように、駆動力部２３は殆ど移動せず、胴体２の中心線が変形する（具体的にはアーム部２１の中心軸Ｎ２が変形する）ことによりその衝撃力Ｔが吸収されることになる。なお、図２では、変形した胴体２の中心線を円弧状に点線で記載しているが、その中心線の変形量は、工具８の回転の中心軸Ｎ１と重量物の質量中心Ｍを２．５５ｍｍだけ下方向に移動させた位置を結ぶ直線Ｓに円弧が接する量である。従って、実質的に胴体２を保持している作業者には衝撃力Ｔは殆ど作用しないといえる。
【手続補正８】
【補正対象書類名】明細書
【補正対象項目名】００６７
【補正方法】変更
【補正の内容】
【００６７】
第２押さえ２２ａは、円盤型のキャップ形状を成し、登頂部分（図３では下面の部分）には工具８の突起８ａを通すための円形の孔が穿設され、リング状となっている。第２押さえ２２ａの下面の形状は、第１押さえ３２の上面と略同一の形状になっている。第２押さえ２２ａは、中心軸が主軸７と略同一となるように、主軸保持部２２の開放端に、中心軸Ｎ１方向に移動自在に取り付けられている。また、第２押さえ２２ａの鍔部分にはバネ２２ｂが収納され、このバネ２２ｂの復元力により第２押さえ２２ａが下側に付勢されている。
【手続補正９】
【補正対象書類名】明細書
【補正対象項目名】００７２
【補正方法】変更
【補正の内容】
【００７２】
【図１】本発明に係る摩擦攪拌接合装置の第１実施形態を示す断面図である。
【図２】本発明に係る摩擦攪拌接合装置における工具の回転力の反力を低減する作用を説明するための図である。
【図３】本発明に係る摩擦攪拌接合装置の第２実施形態を示す断面図である。
【図４】第２実施形態に係る摩擦攪拌接合装置の第１押さえおよび第２押さえの作用を説明するための図である。
【図５】従来の摩擦攪拌接合装置の基本構成を示す側断面図である。
【図６】摩擦攪拌接合時に摩擦攪拌接合装置の各部に生じるトルクを説明するための図である。
【手続補正書】
【提出日】平成23年6月13日(2011.6.13)
【手続補正１】
【補正対象書類名】特許請求の範囲
【補正対象項目名】請求項４
【補正方法】変更
【補正の内容】
【請求項４】
酸変性ポリオレフィン樹脂（Ａ）が（メタ）アクリル酸エステル成分を含有することを特徴とする請求項１〜３のいずれかに記載の包装材料。
【手続補正２】
【補正対象書類名】明細書
【補正対象項目名】０００８
【補正方法】変更
【補正の内容】
【０００８】
本発明者らは、上記課題を解決するために鋭意検討した結果、特定組成の酸変性ポリオレフィン樹脂と、多価オキサゾリン化合物および／または多価ヒドラジド化合物からなる架橋剤とを含有する接着層を用いて、これを熱可塑性樹脂フィルムとシーラント層との間にラミネートすることにより、得られる包装材料は耐内容物性が著しく向上し、しかも耐ボイル性に優れることを見出し、本発明に到達した。
すなわち、本発明の要旨は、以下のとおりである。
（１）熱可塑性樹脂フィルム、接着層およびシーラント層がこの順に積層されてなる包装材料であって、前記接着層が酸変性ポリオレフィン樹脂（Ａ）と架橋剤（Ｂ）とを含有し、（Ａ）と（Ｂ）の質量比（Ａ／Ｂ）が９９．９／０．１〜５０／５０であり、（Ａ）が不飽和カルボン酸成分を０．１〜１０質量％含有し、（Ｂ）が多価オキサゾリン化合物（ｂ１）および／または多価ヒドラジド化合物（ｂ２）であることを特徴とする包装材料。
（２）熱可塑性樹脂フィルムがポリエステル樹脂フィルムまたはポリアミド樹脂フィルムであることを特徴とする（１）記載の包装材料。
（３）多価オキサゾリン化合物（ｂ１）が、数平均分子量が１０００〜８００００の重合体であることを特徴とする（１）または（２）記載の包装材料。
（４）酸変性ポリオレフィン樹脂（Ａ）が（メタ）アクリル酸エステル成分を含有することを特徴とする（１）〜（３）のいずれかに記載の包装材料。
（５）接着層の量が０．００１〜５ｇ／ｍ２であることを特徴とする（１）〜（４）のいずれかに記載の包装材料。
（６）シーラント層がポリオレフィン樹脂層であることを特徴とする（１）〜（５）のいずれかに記載の包装材料。
（７）ポリオレフィン樹脂層が、ポリエチレンおよび／またはポリプロピレンを主成分とすることを特徴とする（６）記載の包装材料。
（８）熱可塑性樹脂フィルムの上に、接着層を介して、溶融したシーラント樹脂を押出ラミネーションによって積層する包装材料の製造方法であって、前記接着層が酸変性ポリオレフィン樹脂（Ａ）と架橋剤（Ｂ）とを含有し、（Ａ）と（Ｂ）の質量比（Ａ／Ｂ）が９９．９／０．１〜５０／５０であり、（Ａ）が不飽和カルボン酸成分を０．１〜１０質量％含有し、（Ｂ）が多価オキサゾリン化合物（ｂ１）および／または多価ヒドラジド化合物（ｂ２）であることを特徴とする包装材料の製造方法。
（９）熱可塑性樹脂フィルムの上に、接着層を介して、溶融したシーラント樹脂を押出ラミネーションによって積層する包装材料の製造方法であって、前記接着層が水性接着剤を塗布し、乾燥することにより形成された層であり、前記水性接着剤が酸変性ポリオレフィン樹脂（Ａ）と架橋剤（Ｂ）とを含有し、（Ａ）と（Ｂ）の質量比（Ａ／Ｂ）が９９．９／０．１〜５０／５０であり、（Ａ）が不飽和カルボン酸成分を０．１〜１０質量％含有し、（Ｂ）が多価オキサゾリン化合物（ｂ１）および／または多価ヒドラジド化合物（ｂ２）であることを特徴とする包装材料の製造方法。